(57)【要約】【課題】充電利用者にとって利便性の高い充電課金機能付き自動販売機及びその制御方法を提供すること。【解決手段】充電プラグ４を介した充電が可能な充電装置２に接続され、自動販売機１本体の商品課金と充電装置２による充電課金とが可能な充電課金機能付き自動販売機１であって、充電装置２による充電販売単位量を操作によって選択できる充電選択ボタン２６と、充電販売単位量及び充電販売単位量に対する課金金額を表示する表示部２４と、充電選択ボタン２６によって選択された充電販売単位量に対する課金金額以上の金額が投入された場合、選択された充電販売単位量の充電開始許可を充電装置２に通知して充電を開始させる制御を行う販売制御部５２と、を備える。【選択図】図３
2015230618.tif 000002
【特許請求の範囲】
【請求項１】
充電プラグを介した充電が可能な充電装置に接続され、自動販売機本体の商品課金と前記充電装置による充電課金とが可能な充電課金機能付き自動販売機であって、
前記充電装置による充電販売単位量を操作によって選択できる充電選択ボタンと、
前記充電販売単位量及び前記充電販売単位量に対する課金金額を表示する表示部と、
前記充電選択ボタンによって選択された前記充電販売単位量に対する課金金額以上の金額が投入された場合、選択された前記充電販売単位量の充電開始許可を前記充電装置に通知して充電を開始させる制御を行う販売制御部と、
を備えたことを特徴とする充電課金機能付き自動販売機。
【請求項２】
前記充電販売単位量は、充電時間、充電金額、充電率を含む充電課金カテゴリに対する販売単位量であることを特徴とする請求項１に記載の充電課金機能付き自動販売機。
【請求項３】
前記販売制御部は、前記充電選択ボタンによって選択された充電販売単位量の充電開始許可を通知した場合に充電課金の成立及び精算処理を行うことを特徴とする請求項１または２に記載の充電課金機能付き自動販売機。
【請求項４】
前記販売制御部は、充電課金の成立及び精算処理を行った場合、前記自動販売機本体の商品販売を可能にするとともに、選択された前記充電販売単位量の充電実行を継続して行い、かつ、該充電の完了まで次の充電販売を禁止することを特徴とする請求項３に記載の充電課金機能付き自動販売機。
【請求項５】
前記販売制御部は、前記充電選択ボタンによって選択された充電販売単位量の充電開始許可を通知した場合に充電課金を成立させ、該充電課金の後に残金があり、かつ、前記自動販売機本体の商品販売が可能な場合、前記残金を用いて前記自動販売機本体の商品販売を可能にするとともに、選択された前記充電販売単位量の充電実行を継続して行い、かつ、該充電の完了まで次の充電販売を禁止することを特徴とする請求項１または２に記載の充電課金機能付き自動販売機。
【請求項６】
前記販売制御部は、前記残金を用いて前記自動販売機本体の商品販売を行った場合、前記充電販売単位の充電販売と前記自動販売機本体の商品販売との合計課金に対して割り引いた課金を成立させて精算処理を行うことを特徴とする請求項５に記載の充電課金機能付き自動販売機。
【請求項７】
前記合計課金に対する割引を行うか否かの設定を行う割引設定部を備え、
前記販売制御部は、前記割引設定部が割引を行う設定としている場合に、前記合計課金に対する割引を行うことを特徴とする請求項６に記載の充電課金機能付き自動販売機。
【請求項８】
充電プラグを介した充電が可能な充電装置に接続され、自動販売機本体の商品課金と前記充電装置による充電課金とが可能な充電課金機能付き自動販売機の制御方法であって、
充電選択ボタンの操作によって前記充電装置による充電販売単位量及び前記充電販売単位量に対する課金金額を表示するとともに、前記充電販売単位量を選択し、
前記充電選択ボタンによって選択された前記充電販売単位量に対する課金金額以上の金額が投入された場合、選択された前記充電販売単位量の充電開始許可を前記充電装置に通知して充電を開始させる制御を行うことを特徴とする充電課金機能付き自動販売機の制御方法。
【発明の詳細な説明】
【技術分野】
【０００１】
本発明は、充電利用者にとって利便性の高い充電課金機能付き自動販売機及びその制御方法に関する。
【背景技術】
【０００２】
自動販売機は、全国に万遍なく多数配置されている。一方、電気自動車などの充電が必要な移動体にとっては、何時でも何処でも充電が可能な充電装置が存在することが要望される。
【０００３】
このため、特許文献１では、全国に多数配置されている既存の自動販売機に、電動車両用の充電機能を付加するものが記載されている。また、特許文献２，３には、充電器を内蔵する自動販売機一体型の充電システムが記載されている。
【０００４】
なお、特許文献２では、自動販売機と電気自動車充電器とを併設する場合、自動販売機の電源電力を用い、その自動販売機の電力容量内で、自動販売機と電気自動車充電器とに対する電力配分を適応的に行うものが記載されている。また、特許文献２には、自動販売機と電気自動車充電器とを併設する場合、自動販売機のユーザインターフェース機能などを、電気自動車充電器のユーザインターフェース機能として流用するものが記載されている。これによって、新たに電気自動車充電器を自動販売機に併設する際の設置工事を軽減できるとともに電気自動車充電器の構成が簡易なものとすることができる。
【先行技術文献】
【特許文献】
【０００５】
【特許文献１】特開２００６−２９３８０３号公報
【特許文献２】特開２０１３−２７１６１号公報
【特許文献３】実用新案登録第３０８６２７２号公報
【発明の概要】
【発明が解決しようとする課題】
【０００６】
しかしながら、特許文献１，３に記載されたものでは、充電販売単位がすべて満充電であり、充電利用者に対する利便性が低い。特に、電気自動車の満充電時間は、急速充電であっても１時間以上はかかり、移動体で移動中の充電利用者であって時間に余裕のない充電利用者は、所望の充電時間内の充電を行うことができない。
【０００７】
なお、特許文献２では、自動販売機のユーザインターフェース機能を用いて充電量を選択できるものが記載されているが、単に充電量の選択ができるのみであり、充電時間を予測することが難しく、充電利用者にとっては利便性の低いものとなる。
【０００８】
本発明は、上記に鑑みてなされたものであって、充電利用者にとって利便性の高い充電課金機能付き自動販売機及びその制御方法を提供することを目的とする。
【課題を解決するための手段】
【０００９】
上述した課題を解決し、目的を達成するために、本発明にかかる充電課金機能付き自動販売機は、充電プラグを介した充電が可能な充電装置に接続され、自動販売機本体の商品課金と前記充電装置による充電課金とが可能な充電課金機能付き自動販売機であって、前記充電装置による充電販売単位量を操作によって選択できる充電選択ボタンと、前記充電販売単位量及び前記充電販売単位量に対する課金金額を表示する表示部と、前記充電選択ボタンによって選択された前記充電販売単位量に対する課金金額以上の金額が投入された場合、選択された前記充電販売単位量の充電開始許可を前記充電装置に通知して充電を開始させる制御を行う販売制御部と、を備えたことを特徴とする。
【００１０】
また、本発明にかかる充電課金機能付き自動販売機は、上記の発明において、前記充電販売単位量は、充電時間、充電金額、充電率を含む充電課金カテゴリに対する販売単位量であることを特徴とする。
【００１１】
また、本発明にかかる充電課金機能付き自動販売機は、上記の発明において、前記販売制御部は、前記充電選択ボタンによって選択された充電販売単位量の充電開始許可を通知した場合に充電課金の成立及び精算処理を行うことを特徴とする。
【００１２】
また、本発明にかかる充電課金機能付き自動販売機は、上記の発明において、前記販売制御部は、充電課金の成立及び精算処理を行った場合、前記自動販売機本体の商品販売を可能にするとともに、選択された前記充電販売単位量の充電実行を継続して行い、かつ、該充電の完了まで次の充電販売を禁止することを特徴とする。
【００１３】
また、本発明にかかる充電課金機能付き自動販売機は、上記の発明において、前記販売制御部は、前記充電選択ボタンによって選択された充電販売単位量の充電開始許可を通知した場合に充電課金を成立させ、該充電課金の後に残金があり、かつ、前記自動販売機本体の商品販売が可能な場合、前記残金を用いて前記自動販売機本体の商品販売を可能にするとともに、選択された前記充電販売単位量の充電実行を継続して行い、かつ、該充電の完了まで次の充電販売を禁止することを特徴とする。
【００１４】
また、本発明にかかる充電課金機能付き自動販売機は、上記の発明において、前記販売制御部は、前記残金を用いて前記自動販売機本体の商品販売を行った場合、前記充電販売単位の充電販売と前記自動販売機本体の商品販売との合計課金に対して割り引いた課金を成立させて精算処理を行うことを特徴とする。
【００１５】
また、本発明にかかる充電課金機能付き自動販売機は、上記の発明において、前記合計課金に対する割引を行うか否かの設定を行う割引設定部を備え、前記販売制御部は、前記割引設定部が割引を行う設定としている場合に、前記合計課金に対する割引を行うことを特徴とする。
【００１６】
また、本発明にかかる充電課金機能付き自動販売機の制御方法は、充電プラグを介した充電が可能な充電装置に接続され、自動販売機本体の商品課金と前記充電装置による充電課金とが可能な充電課金機能付き自動販売機の制御方法であって、充電選択ボタンの操作によって前記充電装置による充電販売単位量及び前記充電販売単位量に対する課金金額を表示するとともに、前記充電販売単位量を選択し、前記充電選択ボタンによって選択された前記充電販売単位量に対する課金金額以上の金額が投入された場合、選択された前記充電販売単位量の充電開始許可を前記充電装置に通知して充電を開始させる制御を行うことを特徴とする。
【発明の効果】
【００１７】
本発明によれば、充電選択ボタンの操作によって前記充電装置による充電販売単位量及び充電販売単位量に対する課金金額を表示するとともに、前記充電販売単位量を選択し、前記充電選択ボタンによって選択された充電販売単位量に対する課金金額以上の金額が投入された場合、選択された充電販売単位量の充電開始許可を前記充電装置に通知して充電を開始させる制御を行うようにしている。この結果、充電利用者にとって利便性の高いものとなる。
【図面の簡単な説明】
【００１８】
【図１】図１は、本発明の実施の形態１である充電課金機能付き自動販売機及びこの自動販売機に接続される充電装置の全体構成を示す模式図である。
【図２】図２は、図１に示した自動販売機の外扉を開けた状態を示す斜視図である。
【図３】図３は、自動販売機及び充電装置の制御系の構成を示すブロック図である。
【図４】図４は、本発明の実施の形態１における販売制御部による充電販売制御処理手順を示すシーケンス図である。
【図５】図５は、充電選択ボタンの操作による充電選択ボタン及び表示部の状態変化を示す説明図である。
【図６】図６は、図５に示した状態変化において金額投入による充電時間が決定した場合の充電選択ボタン及び表示部の状態を示す説明図である。
【図７】図７は、本発明の実施の形態２における販売制御部による充電販売制御処理手順を示すシーケンス図である。
【図８】図８は、本発明の実施の形態３における販売制御部による充電販売制御処理手順を示すシーケンス図である。
【図９】図９は、図８に示した残金利用商品販売処理の詳細処理手順を示すフローチャートである。
【図１０】図１０は、本発明の実施の形態３である充電課金機能付き自動販売機及びこの自動販売機に接続される充電装置の全体構成を示す模式図である。
【発明を実施するための形態】
【００１９】
以下、添付図面を参照してこの発明を実施するための形態について説明する。
【００２０】
（実施の形態１）
［全体構成］
図１は、本発明の実施の形態１である充電課金機能付き自動販売機（以下、自動販売機という）及びこの自動販売機１に接続される充電装置２の全体構成を示す模式図である。また、図２は、図１に示した自動販売機１の外扉１ｂを開けた状態を示す斜視図である。
【００２１】
図１に示すように、自動販売機１は、缶入り飲料やペットボトル入り飲料などの商品を冷やした状態または温めた状態で販売するもので、図２に示すように、本体キャビネット１ａと外扉１ｂとを備えている。本体キャビネット１ａは、複数の鋼板を組み合わせることにより構成したもので、前面が開口した断熱構造の箱状に構成してある。外扉１ｂは、本体キャビネット１ａの前面開口を閉塞するためのもので、開閉可能となる態様で、本体キャビネット１ａの一側縁部（左側縁部）に支承してある。
【００２２】
一方、充電装置２は、自動販売機１に隣接配置される。充電装置２は、自動販売機１と通信線Ｎを介して接続される。また、充電装置２は、先端に充電プラグ４を有した電源線３を有する。充電装置２の前面パネルには、操作開始スイッチ５が設けられる。操作開始スイッチ５が押下されると、充電取引開始信号ＳＧ１が自動販売機１側に送信され、自動販売機１側による充電販売処理が実行される。
【００２３】
自動販売機１は、図１に示すように、外扉１ｂの前面右側中程には、ポップアップハンドル１１が設けてある。ポップアップハンドル１１は、外扉１ｂを閉塞した状態で施錠するためのものである。自動販売機１は、外扉１ｂを閉塞した状態でポップアップハンドル１１を押し込むことにより施錠され、解錠操作するとポップアップハンドル１１がポップアップ（突出）することにより、外扉１ｂの開放操作が可能となる。
【００２４】
また、外扉１ｂの前面上部域には、展示室１２が設けてある。展示室１２は、自動販売機１が販売する商品の商品見本Ｄを展示するためのものである。展示室１２は、外扉１ｂの後方側に開閉可能に取り付けられた中扉１３と外扉１ｂの前面側に嵌め込んだ透明な電照板１４とにより画成され、利用者が自動販売機１の前面側から展示室１２の内部を視認可能である。
【００２５】
展示室１２の内部には、商品を展示するためのステージ１５が上下方向に三つ並べて設置してあり、それぞれのステージ１５において商品見本Ｄが横並びに展示される。また、外扉１ｂの前面側に嵌め込んだ透明な電照板１４には、ステージ１５と対応するように、商品選択ボタン群１６が上下方向に三つ、左右方向に二つ並べて設置してある。
【００２６】
商品選択ボタン群１６は、商品を選択するためのもので、商品見本Ｄと対応するように、複数の商品選択ボタン１７を備えている。なお、各商品選択ボタン１７は、ＬＥＤ表示が可能であり、投入金額に対して商品購入が可能な商品に対応する場合、点灯表示される。
【００２７】
また、展示室１２の下方となる外扉１ｂの中程には、硬貨投入口２１、紙幣挿入口２２、表示部２４、充電選択ボタン２６、返却レバー２８が設けてある。
【００２８】
硬貨投入口２１は、硬貨を受け付けるための開口である。硬貨投入口２１から投入された硬貨は、外扉１ｂの内側に搭載したコインメカニズム（硬貨処理装置）３１に収容される。コインメカニズム３１は、各種硬貨の投入枚数を整理し、後述するメインコントローラ５０に送信する一方、このメインコントローラ５０からの指令に従い、各種硬貨を払い出すものである。
【００２９】
紙幣挿入口２２は、紙幣を受け付けるための開口である。紙幣挿入口２２から挿入された紙幣は、外扉１ｂの内側に搭載したビルバリデータ（紙幣処理装置）３２に収容される。ビルバリデータ３２は、紙幣の投入枚数を整理し、メインコントローラ５０に送信する一方、このメインコントローラ５０からの指令に従い、紙幣を払い出すものである。
【００３０】
表示部２４は、販売中、釣り切れ、準備中、お札中止のほか、投入金額、各種設定時の情報等の各種情報を表示するためのものである。特に、表示部２４は、充電課金を行う場合、充電選択ボタン２６の操作によって、充電販売単位量である充電時間を順次切り替え、切り替えた状態での充電時間と、この充電時間に対する課金金額とを交番表示する。
【００３１】
充電選択ボタン２６は、満充電を含む充電時間を操作によって順次、表示部２４における充電時間と、この充電時間に対する課金金額との交番表示を切り替える。充電選択ボタン２６についての詳細については、後述するが、充電選択ボタン２６は、ＬＥＤ表示が可能であり、充電時間の選択中には点滅表示され、選択中の充電時間に対する課金金額以上の金額が投入されると、この選択中の充電時間が最終的に選択され、点灯表示に変わる。また、この点灯表示状態で、充電選択ボタン２６を押下すると、選択された充電時間での充電が開始される。
【００３２】
返却レバー２８は、取引の中断を指示するためのもので、返却レバー２８が操作されると、取引が中断され、コインメカニズム３１から硬貨返却口４１に釣銭等が放出され、ビルバリデータ３２から紙幣挿入口２２に紙幣が返却される。
【００３３】
また、外扉１ｂの下方となる位置には、取出口４２が設けてある。取出口４２は、商品収納ラックから搬出された商品を取り出すための開口である。
【００３４】
また、外扉１ｂの内側には、リモコン３３が配設してある。リモコン３３は、各種設定操作、各種売上データの確認操作を行うためのもので、書込みキーや終了キーなどの操作キーのほか、各種設定データや確認データが表示される液晶表示器を備えている。リモコン３３から設定入力された設定データは、メインコントローラ５０に送信される。そして、リモコン３３は、このメインコントローラ５０から送信された確認データを受信する。
【００３５】
さらに、外扉１ｂの内側には、ドアスイッチ３４が設けてある。ドアスイッチ３４は、外扉１ｂの開閉状態を検出するためのもので、外扉１ｂを開放した場合にオンとなり、閉塞した場合にオフとなる。
【００３６】
なお、本体キャビネット１ａの内部は、機械室１０３と商品収容室１０４とに画成されている。また、商品収容室１０４は、断熱仕切板によってさらに三つの商品収納庫１０４ａ，１０４ｂ，１０４ｃに仕切られている。これら三つの商品収納庫１０４ａ，１０４ｂ，１０４ｃのうち、正面向かって左側の商品収納庫（以下、「左庫」という）１０４ａと中央の商品収納庫（以下「中庫」という）１０４ｂとは、冷温切り替えが可能である。そして、商品収納庫１０４ａ（１０４ｂ）を冷却に設定した場合には、商品収納庫１０４ａ（１０４ｂ）の内部を冷却し、商品収納庫１０４ａ（１０４ｂ）に収納した商品を冷却する。一方、商品収納庫１０４ａ（１０４ｂ）を加温に設定した場合には、商品収納庫１０４ａ（１０４ｂ）の内部を加温し、商品収納庫１０４ａ（１０４ｂ）に収納した商品を加温する。また、正面向かって右側の商品収納庫（以下、「右庫」という）１０４ｃは、冷却専用庫であり、商品収納庫１０４ｃの内部を冷却し、商品収納庫１０４ｃに収納した商品を冷却する。
【００３７】
商品収納庫１０４ａ，１０４ｂ，１０４ｃには、それぞれ商品収納ラック１０５が搭載してある。自動販売機１は、左庫１０４ａと右庫１０４ｃの幅方向に二列の商品収納ラック１０５が搭載してあり、中庫１０４ｂの幅方向に一列の商品収納ラック１０５が搭載してある。また、商品収納ラック１０５には、商品収納庫１０４ａ，１０４ｂ，１０４ｃの奥行き方向に五つの通路（以下、この通路を便宜上、「ラック」と称する）が設けてあり、各通路には商品が収納可能となっている。
【００３８】
［自動販売機の制御系］
図３は、自動販売機１及び充電装置２の制御系の構成を示すブロック図である。図３に示すように、自動販売機１のメインコントローラ５０には、自動販売機１内のコインメカニズム３１、ビルバリデータ３２、表示操作部２０、リモコン３３、本体制御部４４が接続されるとともに、通信線Ｎを介して充電装置２内の充電制御部６に接続される。
【００３９】
本体制御部４４には、ドアスイッチ３４のほか、冷熱装置４５、搬出装置４６が接続される。本体制御部４４は、メインコントローラ５０の制御のもと、冷熱装置４５、搬出装置４６を制御する。
【００４０】
冷熱装置４５は、上述した商品収納庫１０４ａ，１０４ｂ，１０４ｃを設定された状態に管理するためのものである。冷熱装置４５は、冷却設定された商品収納庫の内部を冷却する一方、加温設定された商品収納庫の内部を加温する。
【００４１】
搬出装置４６は、ラックごとに設けられたベンドソレノイド、売切スイッチを管理するためのものである。本体制御部４４は、メインコントローラ５０から送信された搬出命令に従ってラックから商品を搬出する。また、搬出装置４６は、ラックに収納された商品のすべてを搬出した場合に売切信号を本体制御部４４に出力する。
【００４２】
表示操作部２０は、上述した充電選択ボタン２６、商品選択ボタン１７、表示部２４を有する。
【００４３】
メインコントローラ５０は、制御部５１、販売制御部５２、表示制御部５３を有する。制御部５１は、コインメカニズム３１、ビルバリデータ３２、表示操作部２０、リモコン３３、本体制御部４４等を集中管理するものある。制御部５１は、図示しない記憶部に記憶された各種設定データに基づいて制御する。
【００４４】
販売制御部５２は、自動販売機１本体内の商品の販売に対する商品販売制御及び充電装置２による充電販売制御を行う。表示制御部５３は、販売制御部５２の指示のもとに、表示操作部２０内の充電選択ボタン２６、商品選択ボタン１７、表示部２４に対する表示制御を行う。
【００４５】
一方、充電装置２は、上述した操作開始スイッチ５のほかに、充電制御部６及び充電部７を有する。充電制御部６は、自動販売機１のメインコントローラ５０との通信を行いつつ、自動販売機１側の指示のもとに、充電プラグ４が接続された充電対象に対する充電制御を行う。充電部７は、充電制御部６の制御のもとに、交流電源を直流電源に変換し、所定電圧の電流を充電対象に供給する。
【００４６】
［充電販売制御］
ここで、図４に示したシーケンス図をもとに、販売制御部５２による充電販売制御処理について説明する。まず、充電利用者が充電を行うとする場合、充電装置２の操作開始スイッチ５を押下する（ステップＳ２０１）。この押下によって、充電装置２の充電制御部６は、自動販売機１に対して充電取引開始信号ＳＧ１を送信する。
【００４７】
これに対して、自動販売機１側の販売制御部５２は、充電販売選択処理Ｓ１を行う。すなわち、充電選択ボタン２６の操作に伴う充電時間と、充電時間に対する課金金額とを順次、表示部２４に表示する（ステップＳ１０１）。その後、表示部２４に表示された現表示状態で、表示された課金金額以上の金額の投入によって、現在表示されている充電時間を決定する（ステップＳ１０２）。その後、充電選択ボタン２６が押下される（ステップＳ１０３）と、充電装置２側に充電開始許可信号ＳＧ２を送信する。
【００４８】
具体的に、ステップＳ１０１では、図５に示すように、充電取引開始信号ＳＧ１を受信していない状態では、充電選択ボタン２６は消灯状態であり、表示部２４は無表示状態である。なお、この例では、充電販売単位量を充電時間としている。ここで、操作開始スイッチ５の押下によって充電取引開始信号ＳＧ１を受信すると、充電選択ボタン２６は、初期状態として、点滅状態となり、表示部２４は、初期状態として、満充電を示す「ＦＵＬＬ」の表示と、満充電のときの課金金額である「５００円」の表示とを交番して表示する。なお、満充電は、充電時間ではないが、充電利用者は満充電のときの充電時間を知っているのが普通であり、この満充電も充電時間として取り扱うことができる。また、表示部２４は、充電時間と課金金額とを交番表示しているが、表示部２４の表示領域に余裕がある場合には、充電時間と課金金額とを同時に並列表示してもよい。なお、充電選択ボタン２６の点滅状態は、充電時間の選択途中であり、充電時間の選択が決定されていない状態を示している。
【００４９】
さらに、充電選択ボタン２６を押下する操作を行うと、充電選択ボタン２６は点滅状態を継続し、表示部２４は、次の充電時間を示す「１０分」と、この充電時間に対する課金金額である「５０円」とを交番表示する。さらに、充電選択ボタン２６を押下する操作を行うと、充電選択ボタン２６は点滅状態を継続し、表示部２４は、次の充電時間を示す「２０分」と、この充電時間に対する課金金額である「１００円」とを交番表示する。さらに、充電選択ボタン２６を押下する操作を行うと、充電選択ボタン２６は点滅状態を継続し、表示部２４は、次の充電時間を示す「３０分」と、この充電時間に対する課金金額である「１５０円」とを交番表示する。このように、充電選択ボタン２６を押下する操作を行うことによって、順次、充電時間が１０分単位で増加し、この充電時間に対する課金金額が表示される。そして、満充電以外の最大の充電時間と、この充電時間に対する課金金額との交番表示状態で、さらに充電選択ボタン２６を押下すると、初期状態である、満充電のときの表示状態に移行し、さらに充電選択ボタン２６を押下することによって、上述した表示状態が循環される。
【００５０】
ステップＳ１０２では、ある表示状態のとき、例えば、図６に示した、充電時間が「２０分」で、この充電時間に対する課金金額が「１００円」を表示しているときに、この課金金額「１００円」以上の金額、ここでは、１００円硬貨が硬貨投入口２１から投入されると、この充電時間「２０分」に対する選択が決定される。この決定状態を充電利用者に示すため、充電選択ボタン２６は、点滅状態から点灯状態に変わり、表示部２４は、交番表示から、投入金額「１００円」が表示される。
【００５１】
ステップＳ１０３では、この点灯状態の充電選択ボタン２６が押下されることによって、販売制御部５２は、充電開始の指示があったことを認識する。そして、販売制御部５２は、充電開始許可信号ＳＧ２を充電装置２側に送信することになる。なお、後述するが、販売制御部５２は、充電装置２側から充電完了信号ＳＧ７を受信すると、充電が完了したものとして充電販売許可処理（ステップＳ１０７）を行うが、この１つの処理として、充電選択ボタン２６を消灯し、表示部２４を無表示状態にする。すなわち、販売制御部５２は、充電販売が可能な状態である表示状態に移行させる。
【００５２】
ここで、充電装置２が自動販売機１側から充電開始許可信号ＳＧ２を受信すると、充電プラグ４が充電対象に装着された状態で、充電制御部６は、絶縁試験を行う（ステップＳ２０２）。充電制御部６は、この絶縁試験の結果に問題がないと、充電部７による充電実行処理（ステップＳ２０３）を行うが、この充電実行処理の開始を自動販売機１側に通知するため、充電開始信号ＳＧ３を送信する。さらに、充電制御部６は、充電販売不可信号ＳＧ４を自動販売機１側に送信する。なお、充電開始許可信号ＳＧ２には、充電時間が満充電である場合には、満充電である旨の情報が付加される。そして、充電制御部６は、充電実行処理（ステップＳ２０３）において、満充電が指示されている場合、充電が完了すると満充電完了信号ＳＧ５を自動販売機１側に送信する。
【００５３】
これに対し、販売制御部５２は、充電販売不可信号ＳＧ４を受信すると、充電装置２が充電実行中であるため、他の充電販売を禁止する充電販売禁止処理を行う（ステップＳ１０４）。
【００５４】
さらに、販売制御部５２は、充電開始信号ＳＧ３の受信から、選択決定した充電時間を経過したか、または、満充電完了信号ＳＧ５を受信したか否かを判断する（ステップＳ１０５）。販売制御部５２は、選択決定した充電時間も経過せず、かつ、満充電完了信号ＳＧ５を受信していない場合（ステップＳ１０５，Ｎｏ）には、この判断処理を繰り返す。一方、販売制御部５２は、選択決定した充電時間を経過し、または、満充電完了信号ＳＧ５を受信した場合（ステップＳ１０５，Ｙｅｓ）には、充電完了信号ＳＧ６を充電装置２側に送信する。
【００５５】
この充電完了信号ＳＧ６を受信した充電制御部６は、満充電以外の場合に、選択決定した充電時間が経過したものとして、充電を停止する充電完了処理を行う（ステップＳ２０４）。そして、充電制御部６は、充電完了処理が終了した後、充電完了信号ＳＧ７を自動販売機１側に送信する。
【００５６】
この充電完了信号ＳＧ７を受信した販売制御部５２は、選択決定した充電時間の充電が完了したものとして、充電課金成立による充電販売精算処理を行う（ステップＳ１０６）。すなわち、販売制御部５２は、充電課金の成立（決済）を行うとともに、残金がある場合にはその残金を釣銭として払い出す精算処理を行う。その後、販売制御部５２は、充電販売許可信号ＳＧ８を充電装置２側に送信し、操作開始スイッチ５の押下を許容させる。また、販売制御部５２は、自動販売機１による次の充電販売を許容する充電販売許可処理を行う（ステップＳ１０７）。
【００５７】
なお、上述した実施の形態１では、充電販売単位量を充電時間として説明したが、この充電時間に替えて、充電金額、充電率とする充電課金カテゴリとしてもよい。また、これらすべて、あるいは１以上の組み合わせの充電課金カテゴリを、充電選択ボタン２６の操作によって順次、巡回する選択処理が行えるようにしてもよい。例えば、充電時間の選択状態→充電金額の選択状態→充電率の選択状態→充電時間の選択状態…のように、操作によって巡回する。いずれにしても、充電課金カテゴリごとの充電販売単位量をこまめに選択可能としているので、充電利用者にとって利便性の高い充電購入を行うことができる。例えば、充電金額を充電課金カテゴリとする場合、ガソリン補給の場合と同様な充電購入を行うことができる。なお、充電利用者は、充電対象に対する必要な充電時間や現在の充電率などの情報は、充電対象内の装置によって予め知っているのが通常である。
【００５８】
（実施の形態２）
ところで、上述した実施の形態１では、販売制御部５２は、充電完了信号ＳＧ７を受信した後に充電課金の成立を行うようにしているため、充電開始許可信号ＳＧ２の送信（より詳細には、ステップＳ１０２の金額投入による充電時間の選択決定時点）から充電完了信号ＳＧ７の受信までの間は、充電課金が成立しておらず、自動販売機１本来の商品販売処理を行うことができない。
【００５９】
そこで、本実施の形態２では、図７に示すように、図４のステップＳ１０６の処理（充電課金成立による充電販売精算処理）を充電開始信号ＳＧ３を受信した後に行うようにしている（ステップＳ３０１）。
【００６０】
この結果、図７に示すように、充電課金成立による充電販売精算処理を行った（ステップＳ３０１）の後、並列して他の自動販売機利用者が、充電実行中であるにもかかわらず、商品を購入することができる商品販売処理を行うことができる（ステップＳ３０２）。
【００６１】
特に、充電時間は急速充電でも１時間以上かかるのが通常であり、長い。このため、充電実行中は、自動販売機１は、充電販売に独占され、商品販売を行うことができない。しかし、本実施の形態２を適用することによって、充電販売中であっても、他の自動販売機利用者は、自動販売機１の商品を購入することができるため、商品販売機会を失うことを低減することができる。なお、上述したように、充電販売中は、他の充電販売を行うことはできない。なお、充電が完了したか否かは、充電選択ボタン２６が消灯状態であることによって確認することができる。
【００６２】
（実施の形態３）
ところで、充電利用者は、充電購入及び商品購入を１つの課金で連続して行いたい場合がある。例えば、実施の形態２では、充電購入を行って充電課金が成立して精算処理を行うため、充電課金後に釣銭が払い出されてしまうため、さらに連続して商品購入を行う場合、さらに商品の金額投入を行わなくてはならない。
【００６３】
そこで、図８に示すように、本実施の形態３では、図７におけるステップＳ３０１の処理の充電課金成立において商品販売できる残金がある場合、残金払い出しの精算処理を行わず、単に充電課金成立のみを行う（ステップＳ４０１）。その後、販売制御部５２は、残金による商品販売処理である残金利用商品販売処理を行う（ステップＳ４０２）ようにしている。すなわち、同一の自動販売機利用者に対して充電販売と商品販売との課金を同時に行うようにしている。
【００６４】
ここで、図９に示したフローチャートを参照して、ステップＳ４０２による残金利用商品販売処理手順について説明する。図９に示すように、まず、販売制御部５２は、返却レバー２８が操作されたか否かを判断する（ステップＳ５０１）。返却レバー２８が操作されていない場合（ステップＳ５０１，Ｎｏ）には、さらに、残金で販売できる商品があるか否かを判断する（ステップＳ５０２）。そして、残金で販売できる商品がある場合（ステップＳ５０２，Ｙｅｓ）には、その商品に対応する商品選択ボタン１７を消灯状態から点灯状態にする（ステップＳ５０３）。
【００６５】
その後、商品選択ボタン１７が押下されたか否かを判断する（ステップＳ５０４）。商品選択ボタン１７が押下された場合（ステップＳ５０４，Ｙｅｓ）には、その商品の払い出しを行い（ステップＳ５０５）、ステップＳ５０６に移行する。一方、商品選択ボタン１７が押下されない場合（ステップＳ５０４，Ｎｏ）には、そのままステップＳ５０６に移行する。ステップＳ５０６では、返却レバー２８が操作されたか否かを判断する。返却レバー２８が操作されない場合（ステップＳ５０６，Ｎｏ）には、ステップＳ５０２に移行する。一方、返却レバー２８が操作された場合（ステップＳ５０６，Ｙｅｓ）には、ステップＳ５０７に移行する。
【００６６】
その後、販売制御部５２は、図１０に示したメインコントローラ５０内の割引設定部５４によって割引設定がされているか否かを判断する（ステップＳ５０７）。割引設定がされている場合（ステップＳ５０７，Ｙｅｓ）には、商品販売の課金を成立し、充電購入及び商品購入に対する割引精算処理を行って（ステップＳ５０８）、ステップＳ４０２にリターンする。この割引精算処理は、投入金額から、充電課金金額と商品課金金額との合計額を減算し、割引額を加算して残金を払い出す処理である。なお、割引設定部５４に対する割引設定は、リモコン３３を用いて行うことができる。
【００６７】
一方、返却レバー２８が操作された場合（ステップＳ５０１，Ｙｅｓ）、残金で販売できる商品がない場合（ステップＳ５０２，Ｎｏ）、割引設定がされていない場合（ステップＳ５０７，Ｎｏ）には、投入金額に対する課金を成立させ、割引を行わない通常の精算処理を行って（ステップＳ５０９）、ステップＳ４０２にリターンする。なお、通常の精算処理は、投入金額から、充電課金金額と商品課金金額との合計額を減算した額の残金を払い出す処理である。
【００６８】
なお、上述した実施の形態３では、充電販売の後に残金を用いて商品販売する例を示したが、これに限らず、商品販売の後に残金を用いて充電販売することもできる。商品販売を充電販売の先に行う場合、金額投入と同時に、購入可能な商品選択ボタン１７を点灯させるとともに、充電選択ボタン２６を点滅させ、課金ごとの残金に対して課金を成立させればよい。なお、割引設定は、充電購入をした場合に限るように設定することが好ましい。また、満充電のみが選択可能である場合、充電選択ボタン２６は、商品選択ボタン１７と同様に、金額投入によって充電販売が可能な場合、商品選択ボタン１７とともに点灯させ、商品選択ボタン１７の選択決定と同じ処理を行えばよい。
【符号の説明】
【００６９】
１  自動販売機
１ａ  本体キャビネット
１ｂ  外扉
２  充電装置
３  電源線
４  充電プラグ
５  操作開始スイッチ
６  充電制御部
７  充電部
１１  ポップアップハンドル
１２  展示室
１３  中扉
１４  電照板
１５  ステージ
１６  商品選択ボタン群
１７  商品選択ボタン
２０  表示操作部
２１  硬貨投入口
２２  紙幣挿入口
２４  表示部
２６  充電選択ボタン
２８  返却レバー
３１  コインメカニズム
３２  ビルバリデータ
３３  リモコン
３４  ドアスイッチ
４１  硬貨返却口
４２  取出口
４４  本体制御部
４５  冷熱装置
４６  搬出装置
５０  メインコントローラ
５１  制御部
５２  販売制御部
５３  表示制御部
５４  割引設定部
１０３  機械室
１０４  商品収容室
１０４ａ，１０４ｂ，１０４ｃ  商品収納庫
１０５  商品収納ラック
Ｓ１  充電販売選択処理
ＳＧ１  充電取引開始信号
ＳＧ２  充電開始許可信号
ＳＧ３  充電開始信号
ＳＧ４  充電販売不可信号
ＳＧ５  満充電完了信号
ＳＧ６，ＳＧ７  充電完了信号
ＳＧ８  充電販売許可信号
【図１】
2015230618.tif 000003
【図２】
2015230618.tif 000004
【図３】
2015230618.tif 000005
【図４】
2015230618.tif 000006
【図５】
2015230618.tif 000007
【図６】
2015230618.tif 000008
【図７】
2015230618.tif 000009
【図８】
2015230618.tif 000010
【図９】
2015230618.tif 000011
【図１０】
2015230618.tif 000012